(57)【要約】【課題】タッチパネル式の表示部に使用される入力用のペンの収納時およびそのペンをスタンドとして用いる場合に、動作が煩雑になるのを抑制することが可能な電子機器を提供する。【解決手段】この携帯電話１００（電子機器）は、本体部１と、タッチパネル式の表示部２と、表示部２に使用されるスタイラスペン４と、スタイラスペン４が入力用のペンとして用いられる場合にスタイラスペン４を外すことが可能なように着脱可能に保持するペン保持部５とを備え、スタイラスペン４がペン保持部５に装着された状態で、本体部１のスタンドとして機能するスタンド位置と、入力用のペンとして用いられず、かつ、スタンドとして機能しない非使用時に配置する収納位置とにスタイラスペン４を移動可能なように構成されている。【選択図】図６
2012022481.tif 000002
【特許請求の範囲】
【請求項１】
本体部と、
タッチパネル式の表示部と、
前記表示部に使用される入力用のペンと、
前記ペンが入力用のペンとして用いられる場合に前記ペンを外すことが可能なように着脱可能に保持するペン保持部とを備え、
前記ペンが前記ペン保持部に装着された状態で、前記本体部のスタンドとして機能するスタンド位置と、入力用のペンとして用いられず、かつ、前記スタンドとして機能しない非使用時に配置する収納位置とに前記ペンを移動可能なように構成されている、電子機器。
【請求項２】
前記ペンは、前記ペン保持部に装着された状態で前記本体部に対して回動することによって、前記スタンド位置と前記収納位置とに移動するように構成されている、請求項１に記載の電子機器。
【請求項３】
前記ペン保持部は、前記本体部に対して回動可能に構成されているとともに、第１係合部を有し、
前記ペン保持部の第１係合部は、前記ペンが前記スタンド位置に位置する状態で前記本体部に設けられた第２係合部に係合して前記ペンが前記スタンド位置から回動するのを規制するとともに、前記ペンが前記収納位置に位置する状態で前記本体部に設けられた第３係合部に係合して前記ペンが前記収納位置から回動するのを規制するように構成されている、請求項２に記載の電子機器。
【請求項４】
前記スタンド位置は、前記第２係合部に対応する第１スタンド位置および前記第１スタンド位置とは前記ペンの回動角度が異なる第２スタンド位置を含み、
前記ペン保持部の第１係合部は、前記第１スタンド位置に対応する前記第２係合部に係合して前記ペンが前記第１スタンド位置から回動するのを規制するとともに、前記第２スタンド位置に対応する第４係合部に係合して前記ペンが前記第２スタンド位置から回動するのを規制するように構成されている、請求項３に記載の電子機器。
【請求項５】
前記本体部は、前記ペンを収納する凹部を含み、
前記ペンは、前記ペン保持部に装着された状態で、前記非使用時に前記凹部の内部に収納されることにより前記収納位置に配置されるように構成されている、請求項１〜４のいずれか１項に記載の電子機器。
【発明の詳細な説明】
【技術分野】
【０００１】
この発明は、電子機器に関し、特に、タッチパネル式の表示部に使用される入力用のペンを備えた電子機器に関する。
【背景技術】
【０００２】
従来、タッチパネル式の表示部に使用される入力用のペンを備えた電子機器が知られている（たとえば、特許文献１参照）。
【０００３】
上記特許文献１には、本体部と、タッチパネルディスプレイと、タッチパネルディスプレイに使用される入力用のスタイラスペンと、本体部の側面に設けられたスタイラスペンを収納するための細長溝とを備えたタブレットＰＣ（電子機器）が開示されている。このタブレットＰＣでは、タッチパネルディスプレイの背面に凹部が形成されており、この凹部にスタイラスペンの先端部を差し込むことによってスタイラスペンをタッチパネルディスプレイのスタンドとして機能させる。これにより、入力用のスタイラスペンをスタンドとして用いることが可能である。
【先行技術文献】
【特許文献】
【０００４】
【特許文献１】特開２００６−４４００号公報
【発明の概要】
【発明が解決しようとする課題】
【０００５】
しかしながら、上記特許文献１のタブレットＰＣ（電子機器）では、入力用のスタイラスペンをスタンドとして用いることが可能である一方、スタイラスペンをスタンドとして用いた後に収納位置に収納する場合には、スタイラスペンをタッチパネルディスプレイの背面側の凹部から抜き取って本体部の側面の細長溝内の収納位置に配置する必要があるとともに、スタイラスペンを収納状態からスタンドとして用いる場合には、細長溝内からスタイラスペンを取り出した後、スタイラスペンをタッチパネルディスプレイの背面の凹部に差し込んでスタンド位置（スタンドとして機能する位置）に配置する必要がある。このように、上記特許文献１のタブレットＰＣ（電子機器）では、スタイラスペンの収納時およびスタイラスペンをスタンドとして用いる場合に、煩雑な動作が必要であるという問題点がある。
【０００６】
この発明は、上記のような課題を解決するためになされたものであり、この発明の１つの目的は、タッチパネル式の表示部に使用される入力用のペンの収納時およびそのペンをスタンドとして用いる場合に、動作が煩雑になるのを抑制することが可能な電子機器を提供することである。
【課題を解決するための手段および発明の効果】
【０００７】
この発明の一の局面による電子機器は、本体部と、タッチパネル式の表示部と、表示部に使用される入力用のペンと、ペンが入力用のペンとして用いられる場合にペンを外すことが可能なように着脱可能に保持するペン保持部とを備え、ペンがペン保持部に装着された状態で、本体部のスタンドとして機能するスタンド位置と、入力用のペンとして用いられず、かつ、スタンドとして機能しない非使用時に配置する収納位置とにペンを移動可能なように構成されている。
【０００８】
この発明の一の局面による電子機器では、上記のように、ペンがペン保持部に装着された状態で、本体部のスタンドとして機能するスタンド位置と、入力用のペンとして用いられず、かつ、スタンドとして機能しない非使用時に配置する収納位置とにペンを移動可能なように構成することによって、ペンをペン保持部に装着したままの状態で、スタンド位置と収納位置との両方にペンを移動することができる。これにより、ペンをスタンドとして用いた後に収納位置に収納する場合、および、ペンを収納状態からスタンドとして用いる場合のいずれの場合にも、ペンをペン保持部から外したりペンをペン保持部に装着したりする必要がなく、ペン保持部に装着したままのペンを移動するだけで、容易に、ペンを収納し、または、ペンをスタンドとして用いることができる。このように、この電子機器では、タッチパネル式の表示部に使用される入力用のペンの収納時およびそのペンをスタンドとして用いる場合に、動作が煩雑になるのを抑制することができる。
【０００９】
上記一の局面による電子機器において、好ましくは、ペンは、ペン保持部に装着された状態で本体部に対して回動することによって、スタンド位置と収納位置とに移動するように構成されている。このように構成すれば、ペンを本体部に対して回動させるだけで容易にスタンド位置と収納位置とに移動させることができるので、ペンの収納時およびペンをスタンドとして用いる場合に、ユーザの動作をより簡略化することができる。
【００１０】
この場合、好ましくは、ペン保持部は、本体部に対して回動可能に構成されているとともに、第１係合部を有し、ペン保持部の第１係合部は、ペンがスタンド位置に位置する状態で本体部に設けられた第２係合部に係合してペンがスタンド位置から回動するのを規制するとともに、ペンが収納位置に位置する状態で本体部に設けられた第３係合部に係合してペンが収納位置から回動するのを規制するように構成されている。このように構成すれば、ペンがスタンド位置に位置する場合には、第１係合部および第２係合部によりペンがスタンド位置から回動するのを規制することができるので、ペンにより安定した状態で本体部を支持することができる。また、ペンが収納位置に位置する場合には、第１係合部および第３係合部によりペンが収納位置から回動するのを規制することができるので、ペンを確実に収納位置に収納することができる。
【００１１】
上記ペン保持部が第１係合部を有する構成において、好ましくは、スタンド位置は、第２係合部に対応する第１スタンド位置および第１スタンド位置とはペンの回動角度が異なる第２スタンド位置を含み、ペン保持部の第１係合部は、第１スタンド位置に対応する第２係合部に係合してペンが第１スタンド位置から回動するのを規制するとともに、第２スタンド位置に対応する第４係合部に係合してペンが第２スタンド位置から回動するのを規制するように構成されている。このように構成すれば、異なる回動角度の第１スタンド位置および第２スタンド位置の両方の位置において、ペンにより安定した状態で本体部を支持することができるので、ユーザは本体部の設置場所の状況に応じて第１スタンド位置および第２スタンド位置を適宜使い分けることができる。これにより、ユーザの利便性を高めることができる。
【００１２】
上記一の局面による電子機器において、好ましくは、本体部は、ペンを収納する凹部を含み、ペンは、ペン保持部に装着された状態で、非使用時に凹部の内部に収納されることにより収納位置に配置されるように構成されている。このように構成すれば、ペンを収納する場合に、本体部の凹部の内部にペンを配置することができるので、収納時にペンが本体部の外側に配置される場合とは異なり、ペンを収納した状態の電子機器の外形寸法が大きくなるのを抑制することができる。
【図面の簡単な説明】
【００１３】
【図１】本発明の一実施形態による携帯電話を示した正面図である。
【図２】本発明の一実施形態による携帯電話を示した背面図である。
【図３】本発明の一実施形態による携帯電話のスタイラスペンをペン保持部から抜き取った状態を示した図である。
【図４】本発明の一実施形態による携帯電話のスタイラスペンを示した斜視図である。
【図５】本発明の一実施形態による携帯電話のスタイラスペンを収納した状態を示した斜視図である。
【図６】本発明の一実施形態による携帯電話のスタイラスペンを第１スタンド位置に回動した状態を示した斜視図である。
【図７】本発明の一実施形態による携帯電話のスタイラスペンを第２スタンド位置に回動した状態を示した斜視図である。
【図８】図２の３００−３００線に沿った断面図である。
【図９】図８の４００−４００線に沿った断面図である。
【図１０】本発明の一実施形態による携帯電話のスタイラスペンが上側に位置する場合においてスタイラスペンを第１スタンド位置に回動した状態を示した斜視図である。
【図１１】本発明の一実施形態による携帯電話のスタイラスペンが上側に位置する場合においてスタイラスペンを第２スタンド位置に回動した状態を示した斜視図である。
【図１２】本発明の一実施形態による携帯電話を縦置きにした状態を示した斜視図である。
【図１３】本発明の一実施形態による携帯電話の変形例を示した斜視図である。
【発明を実施するための形態】
【００１４】
以下、本発明を具体化した実施形態を図面に基づいて説明する。
【００１５】
まず、図１〜図１２を参照して、本発明の一実施形態による携帯電話１００の構成について説明する。なお、携帯電話１００は、本発明の「電子機器」の一例である。
【００１６】
本発明の一実施形態による携帯電話１００は、図１に示すように、正面側（図５のＹ１方向側）から見て、略矩形形状の本体部１と、本体部１の正面側に配置されたタッチパネル式の表示部２とを備えている。また、本体部１の正面側には、表示部２の上側（Ｚ１方向側）に隣接するようにカメラレンズ３が設けられている。また、携帯電話１００は、図２および図３に示すように、タッチパネル式の表示部２に使用されるスタイラスペン４と、スタイラスペン４を着脱可能な状態で保持するペン保持部５とを備えている。また、本体部１の背面側（図５のＹ２方向側）には、カメラレンズ６が設けられている。また、本体部１の背面側には、スタイラスペン４を収納する収納部７が設けられている。なお、スタイラスペン４は、本発明の「ペン」の一例であり、収納部７は、本発明の「凹部」の一例である。
【００１７】
表示部２は、図１に示すように、略矩形形状を有している。また、表示部２は、抵抗膜式のタッチパネルにより構成されている。
【００１８】
スタイラスペン４は、図３および図４に示すように、伸縮可能に構成されている。これにより、スタイラスペン４を入力用のペンとして用いる場合には、スタイラスペン４を伸ばしてユーザが把持し易いようにすることが可能であるとともに、スタイラスペン４を収納部７に収納する場合には、スタイラスペン４を縮めて小さくすることが可能である。また、スタイラスペン４は、図３に示すように、収納時に、本体部１の下方側（Ｚ２方向側）から収納部７に挿入されるように構成されている。また、スタイラスペン４は、収納状態において、先端部４１がペン保持部５の図示しない挿入孔に挿入されることによってペン保持部５に装着されるように構成されている。これにより、スタイラスペン４は、ペン保持部５により保持される。また、スタイラスペン４は、入力用のペンとして用いられる場合にはペン保持部５から抜き取られてユーザに把持された状態で使用される。また、スタイラスペン４は、入力用のペンとして機能することに加えて、後述するように、本体部１のスタンドとしても機能するように構成されている。また、スタイラスペン４は、ペン保持部５に装着された状態で、後述するように、収納位置（図５に示す位置）および本体部１のスタンドとして機能するスタンド位置（図６に示す位置および図７に示す位置）に回動可能に構成されている。また、スタイラスペン４の後端部４２は、図２および図５に示すように、スタイラスペン４が収納部７に収納された状態で、本体部１の下側表面（Ｚ２方向側の表面）と略面一となる形状に形成されている。また、スタイラスペン４は、図５に示すように、収納部７に収納された状態で本体部１の背面側表面と略面一となるように構成されている。
【００１９】
ここで、本実施形態では、ペン保持部５は、本体部１の背面側に設けられている。また、ペン保持部５は、図示しない挿入孔によりスタイラスペン４を着脱可能な状態で保持するように構成されている。また、ペン保持部５は、図５に示すように、スタイラスペン４が収納部７に収納された状態で本体部１の背面側表面と略面一となるように構成されている。また、ペン保持部５は、本体部１に対して回動可能なように構成されている。具体的には、図５〜図７に示すように、ペン保持部５は、スタイラスペン４を保持した状態で、本体部１に対して上下方向（Ｚ方向）に回動可能なように構成されている。
【００２０】
ここで、図８および図９を参照して、ペン保持部５の回動機構についてより詳細に説明する。ペン保持部５は、図８に示すように、ピン８により本体部１に回動可能に取り付けられており、ピン８を回動中心として回動するように構成されている。また、ペン保持部５は、スタイラスペン４を保持した状態で本体部１に対して回動することによって、スタイラスペン４を、収納部７内の収納位置（図５に示す位置）、収納位置から約４５度回動した第１スタンド位置（図６に示す位置）および収納位置から約９０度回動した第２スタンド位置（図７に示す位置）に移動することが可能である。また、ペン保持部５は、図８および図９に示すように、ピン８に対してスタイラスペン４とは反対側の部分に半球形状の凹部５１を有している。
【００２１】
凹部５１は、ペン保持部５のＸ１方向側の側面に設けられている。また、ペン保持部５の凹部５１は、スタイラスペン４が収納位置に位置する状態で、本体部１に設けられた第１凸部１１に係合するように構成されている。これにより、スタイラスペン４は、収納位置から回動するのが規制される。また、凹部５１は、スタイラスペン４が第１スタンド位置および第２スタンド位置に位置する状態で、それぞれ、本体部１に設けられた第２凸部１２および第３凸部１３に係合するように構成されている。これにより、スタイラスペン４は、第１スタンド位置および第２スタンド位置から回動するのが規制される。また、図８および図９に示すように、第１凸部１１、第２凸部１２および第３凸部１３は、ペン保持部５の凹部５１に係合可能な半球形状を有し、ペン保持部５側（Ｘ２方向側）に突出するように形成されている。なお、凹部５１は、本発明の「第１係合部」の一例である。また、第１凸部１１、第２凸部１２および第３凸部１３は、それぞれ、本発明の「第３係合部」、「第２係合部」および「第４係合部」の一例である。
【００２２】
上記の構成により、本実施形態の携帯電話１００は、図６および図７に示すように、本体部１のＸ２方向側の側面を下にした状態（横置きにした状態）で、スタイラスペン４をスタンドとして用いることにより自立することが可能である。この際、表示部２は、設置面に対して略８５度傾斜している。これにより、ユーザは、携帯電話１００を把持することなく自立させた状態でテレビ画像などを視聴可能である。また、携帯電話１００は、図１０および図１１に示すように、本体部１のＸ１方向側の側面を下にした状態（横置きにした状態）で、スタイラスペン４をスタンドとして用いることにより自立することが可能である。この場合には、スタイラスペン４を伸縮させることによって、設置面に対する表示部２の傾斜角度を変動させることが可能である。また、スタイラスペン４を第１スタンド位置に配置させた場合（図１０参照）と第２スタンド位置に配置させた場合（図１１参照）とで、それぞれ、設置面に対する表示部２の傾斜角度を異ならせることが可能となる。さらに、携帯電話１００は、図１２に示すように、本体部１の下側表面（Ｚ２方向側の表面）を下にした状態（縦置きにした状態）でも、スタイラスペン４をスタンドとして用いることにより自立することが可能である。このように携帯電話１００を自立させる場合には、ユーザは、セルフタイマー機能を用いて本体部１の正面側に設けられたカメラレンズ３（図１参照）により写真撮影することも可能となる。
【００２３】
収納部７は、図６、図７、図１０および図１１に示すように、本体部１の内側に凹んだ凹形状を有している。また、図２および図５に示すように、収納部７は、Ｚ方向に延びるように形成されており、縮んだ状態のスタイラスペン４と略同じ長さを有している。また、収納部７は、スタイラスペン４を凹形状の内部に収納可能に構成されている。
【００２４】
本実施形態では、上記のように、スタイラスペン４がペン保持部５に装着された状態で、本体部１のスタンドとして機能するスタンド位置（第１スタンド位置および第２スタンド位置）と、入力用のペンとして用いられず、かつ、スタンドとして機能しない非使用時に配置する収納位置とにスタイラスペン４を移動可能なように構成する。これによって、スタイラスペン４をペン保持部５に装着したままの状態で、スタンド位置と収納位置との両方にスタイラスペン４を移動することができる。これにより、スタイラスペン４をスタンドとして用いた後に収納位置に収納する場合、および、スタイラスペン４を収納状態からスタンドとして用いる場合のいずれの場合にも、スタイラスペン４をペン保持部５から外したりスタイラスペン４をペン保持部５に装着したりする必要がなく、ペン保持部５に装着したままのスタイラスペン４を移動するだけで、容易に、スタイラスペン４を収納し、または、スタイラスペン４をスタンドとして用いることができる。このように、この携帯電話１００では、タッチパネル式の表示部２に使用される入力用のスタイラスペン４の収納時およびそのスタイラスペン４をスタンドとして用いる場合に、動作が煩雑になるのを抑制することができる。
【００２５】
また、本実施形態では、スタイラスペン４を、ペン保持部５に装着された状態で本体部１に対して回動することによってスタンド位置（第１スタンド位置および第２スタンド位置）と収納位置とに移動するように構成することによって、スタイラスペン４を本体部１に対して回動させるだけで容易にスタンド位置と収納位置とに移動させることができるので、スタイラスペン４の収納時およびスタイラスペン４をスタンドとして用いる場合に、ユーザの動作をより簡略化することができる。
【００２６】
また、本実施形態では、ペン保持部５の凹部５１を、スタイラスペン４が第１スタンド位置に位置する状態で本体部１に設けられた第２凸部１２に係合してスタイラスペン４が第１スタンド位置から回動するのを規制するとともに、スタイラスペン４が収納位置に位置する状態で本体部１に設けられた第１凸部１１に係合してスタイラスペン４が収納位置から回動するのを規制するように構成する。これによって、スタイラスペン４がスタンド位置に位置する場合には、凹部５１および第２凸部１２によりスタイラスペン４が第１スタンド位置から回動するのを規制することができるので、スタイラスペン４により安定した状態で本体部１を支持することができる。また、スタイラスペン４が収納位置に位置する場合には、凹部５１および第１凸部１１によりスタイラスペン４が収納位置から回動するのを規制することができるので、スタイラスペン４を確実に収納位置に収納することができる。
【００２７】
また、本実施形態では、ペン保持部５の凹部５１を、第１スタンド位置に対応する第２凸部１２に係合してスタイラスペン４が第１スタンド位置から回動するのを規制するとともに、第２スタンド位置に対応する第３凸部１３に係合してスタイラスペン４が第２スタンド位置から回動するのを規制するように構成する。これによって、異なる回動角度の第１スタンド位置および第２スタンド位置の両方の位置において、スタイラスペン４により安定した状態で本体部１を支持することができるので、ユーザは本体部１の設置場所の状況に応じて第１スタンド位置および第２スタンド位置を適宜使い分けることができる。これにより、ユーザの利便性を高めることができる。
【００２８】
また、本実施形態では、本体部１にスタイラスペン４を収納する凹形状の収納部７を設けることによって、スタイラスペン４を収納する場合に、本体部１の凹形状の収納部７の内部にスタイラスペン４を配置することができるので、収納時にスタイラスペン４が本体部１の外側に配置される場合とは異なり、スタイラスペン４を収納した状態の携帯電話１００の外形寸法が大きくなるのを抑制することができる。
【００２９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３０】
たとえば、上記実施形態では、電子機器の一例として、携帯電話を示したが、本発明はこれに限られない。本発明では、たとえば、ＰＤＡ（携帯情報端末）など、携帯電話以外の電子機器であってもよい。
【００３１】
また、上記実施形態では、スタイラスペンをペン保持部に装着した状態で、スタイラスペンを本体部に対して回動させることによって収納位置およびスタンド位置に移動する構成の例を示したが、本発明はこれに限られない。本発明では、スタイラスペンをペン保持部に装着した状態であれば、たとえば、スタイラスペンを直線的に移動するなど、回動以外の動作によってスタイラスペンを収納位置およびスタンド位置に移動する構成であってもよい。
【００３２】
また、上記実施形態では、ペン保持部を本体部に対して回動可能なように本体部とは別体で設けたが、本発明はこれに限られない。本発明では、ペン保持部を本体部に一体的に設けてもよい。この場合、本体部と一体的に設けられた固定的なペン保持部により、スタイラスペンを回動可能に保持するように構成する。
【００３３】
また、上記実施形態では、ペン保持部を本体部に対して回動可能に構成することによって、ペン保持部に装着されたスタイラスペンを回動させる構成の例を示したが、本発明はこれに限られない。本発明では、スタイラスペン自体に回動機構（たとえば、ヒンジ機構）を設けることによって、ペン保持部を本体部に対して回動させることなく、ペン保持部に装着されたスタイラスペンだけをスタイラスペン自体に設けた回動機構により本体部に対して回動させる構成であってもよい。
【００３４】
また、上記実施形態では、ペン保持部の第１係合部としての半球形状の凹部と、第２係合部（第３係合部および第４係合部）としての半球形状の第２凸部（第１凸部および第３凸部）とが互いに係合することによってスタイラスペンの回動を規制する構成の例を示したが、本発明はこれに限られない。本発明では、爪状の突起片と突起片に係合するフック形状の係合部など、半球形状の凹部および凸部以外の形状の係合部が係合することによってスタイラスペンの回動を規制する構成であってもよい。
【００３５】
また、上記実施形態では、第１スタンド位置および第２スタンド位置の２つのスタンド位置においてスタイラスペンがスタンドとして機能する構成の例を示したが、本発明はこれに限られない。本発明では、１つのスタンド位置、または、３つ以上のスタンド位置においてスタイラスペンがスタンドとして機能する構成であってもよいし、収納位置以外のいずれの位置でも無段階にスタイラスペンがスタンドとして機能する構成であってもよい。
【００３６】
また、上記実施形態では、凹形状の収納部にスタイラスペンを収納する構成の例を示したが、本発明はこれに限られない。本発明では、ペン保持部に装着された状態のスタイラスペンを収納位置およびスタンド位置に移動可能な構成であれば、凹形状以外の、たとえば、筒形状の収納部にスタイラスペンを収納する構成であってもよい。
【００３７】
また、上記実施形態では、スタイラスペンが収納位置に位置する状態で、ペン保持部の第１係合部としての凹部が第３係合部としての凸部に係合することによってスタイラスペンが収納位置から回動するのを規制する構成の例を示したが、本発明はこれに限られない。本発明では、スタイラスペンが収納位置に位置する状態において、第１係合部および第３係合部の係合に代えて、または、第１係合部および第３係合部の係合に加えて、スタイラスペンが収納位置から回動するのを規制する機構を別途設けてもよい。具体的には、たとえば、図１３に示すように、スタイラスペン２０４の後端部に略Ｊ形状のフック部２０４ａを設けるとともに、本体部にフック部２０４ａに係合する被係合部２１１を設ける。被係合部２１１は、スタイラスペン２０４が収納位置に位置する状態でフック部２０４ａに係合することによって、スタイラスペン２０４が収納位置から回動するのを規制する。そして、被係合部２１１をＺ方向にスライド可能に構成し、被係合部２１１をＺ１方向にスライドさせることによって、被係合部２１１とフック部２０４ａとの係合を解除してスタイラスペン２０４を収納位置から回動可能にする構成であってもよい。
【符号の説明】
【００３８】
１  本体部
２  表示部
４、２０４  スタイラスペン（ペン）
５  ペン保持部
７  収納部（凹部）
１１  第１凸部（第３係合部）
１２  第２凸部（第２係合部）
１３  第３凸部（第４係合部）
５１  凹部（第１係合部）
１００  携帯電話（電子機器）
【図１】
2012022481.tif 000003
【図２】
2012022481.tif 000004
【図３】
2012022481.tif 000005
【図４】
2012022481.tif 000006
【図５】
2012022481.tif 000007
【図６】
2012022481.tif 000008
【図７】
2012022481.tif 000009
【図８】
2012022481.tif 000010
【図９】
2012022481.tif 000011
【図１０】
2012022481.tif 000012
【図１１】
2012022481.tif 000013
【図１２】
2012022481.tif 000014
【図１３】
2012022481.tif 000015